(57)【要約】【課題】各警察署で保管している警察無線の多数の無線機２を、効率よく適正に管理する。【解決手段】無線機２にＲＦタグ（ＩＣタグ）２１を取り付ける。ロッカー装置１の引出しボックス１１内を仕切板１３仕切って、多数の収納スペースＳを形成する。引出しボックス１１の底にアンテナ１２を配設する。アンテナ１２をＲＦリーダ１２ａに接続する。ロッカー装置１の扉１ａの電気錠４の解錠をカードリーダ３から読み取るＩＤコードの認証により制御する。ＲＦリーダ１２ａ、カードリーダ３、電気錠４の錠制御部４１をＬＡＮでパーソナルコンピュータ（ＰＣ）１０に接続する。ＰＣ１０でのＩＤコードの入力、カードリーダ３でのＩＤコードの読み取りにより、ロッカー装置１の電気錠４を解錠する。無線機２のＲＦタグ２１の識別コードをアンテナ１２、ＲＦリーダ１２ａを介してＰＣ１０で認識し、ＰＣ１０のデータベースに持出し・返却の履歴を記憶する。【選択図】図１
2008255600.tif 000002
【特許請求の範囲】
【請求項１】
固有の識別コードを記憶したＲＦタグが取り付けられた警察無線用の多数の無線機を管理する無線機管理システムであって、
前記無線機を収納するロッカー装置であって、ボックス内部に前記ＲＦタグの識別コードを受信するアンテナを内蔵したロッカー装置と、
個人に固有のＩＤコードを出力するＩＤコード出力手段からのＩＤコードを入力して、該ＩＤコードを認証して前記ロッカー装置の扉の解錠を制御する履歴付き錠装置と、
前記履歴付き錠装置からの履歴情報を入力するとともに、前記ロッカー装置の前記アンテナで受信される識別コードにより、前記無線機を管理する管理手段と、
を備え、
前記管理手段は、前記アンテナで受信される識別コードの有無と前記履歴付き錠装置からの履歴情報とにより、前記無線機を管理することを特徴とする無線機管理システム。
【請求項２】
請求項１に記載の無線機管理システムであって、
前記管理手段は、ＩＤコードを入力するＩＤコード入力処理を行い、
前記履歴付き錠装置は、前記ＩＤコード出力手段からのＩＤコードと該管理手段におけるＩＤコード入力処理で入力されたＩＤコードとを認証することで、前記ロッカー装置の扉の解錠を制御することを特徴とする無線機管理システム。
【発明の詳細な説明】
【技術分野】
【０００１】
本発明は、警察無線の多数の無線機を管理する無線機管理システムに関する。
【背景技術】
【０００２】
従来、警察無線ではきわめて多数の無線機が使用されている。すなわち、日本全国の各都道府県の各警察署にはそれぞれ多数の無線機が備えられている。この無線機は警察官が勤務中に必要に応じて所持するものであるが、警察情報の漏洩を防止する上でも適正に管理することが要求される。
【０００３】
また、警察無線の無線機は、例えば要人警護などの重要警備、大規模警備を行うときなどは必要数の無線機を確保するために、複数の警察署や複数の県警から無線機を集め、この集められた無線機を警護の警察官各員に配給するような運用も行われている。
【０００４】
なお、本発明に関連する文献公知発明のうち、出願人が当該特許出願時に知っているものがないので、開示すべき先行技術文献情報はない。
【発明の開示】
【発明が解決しようとする課題】
【０００５】
警察無線の無線機について現状の管理運用方法では、警察署内の責任者が無線機の数量をチェックするようにしているが、管理に手間がかかるという問題がある。特に、大規模警備などのように多量に持ち出すような場合には、貸し出した無線機の所在の確認、回収等の管理は特に煩雑になり、膨大な手間がかかってしまう。
【０００６】
本発明は、警察無線のきわめて多数の無線機を性格に効率よく管理できるようにすることを課題とする。
【課題を解決するための手段】
【０００７】
請求項１の無線機管理システムは、固有の識別コードを記憶したＲＦタグが取り付けられた警察無線用の多数の無線機を管理する無線機管理システムであって、前記無線機を収納するロッカー装置であって、ボックス内部に前記ＲＦタグの識別コードを受信するアンテナを内蔵したロッカー装置と、個人に固有のＩＤコードを出力するＩＤコード出力手段からのＩＤコードを入力して、該ＩＤコードを認証して前記ロッカー装置の扉の解錠を制御する履歴付き錠装置と、前記履歴付き錠装置からの履歴情報を入力するとともに、前記ロッカー装置の前記アンテナで受信される識別コードにより、前記無線機を管理する管理手段とを備え、前記管理手段は、前記アンテナで受信される識別コードの有無と前記履歴付き錠装置からの履歴情報とにより、前記無線機を管理することを特徴とする。
【０００８】
請求項２の無線機管理システムは、請求項１に記載の無線機管理システムであって、前記管理手段は、ＩＤコードを入力するＩＤコード入力処理を行い、前記履歴付き錠装置は、前記ＩＤコード出力手段からのＩＤコードと該管理手段におけるＩＤコード入力処理で入力されたＩＤコードとを認証することで、前記ロッカー装置の扉の解錠を制御することを特徴とする。
【０００９】
請求項１の無線機管理システムにおいて、ロッカー装置には無線機が収納されるが、このロッカー装置のボックス内にはアンテナが内蔵されており、このロッカー装置に無線機を収納すると、この無線機に取り付けられたＲＦタグの識別コードがアンテナで受信される。また、個々の無線機はその識別コードにより特定できる。したがって、管理手段は、識別コードの有無によりロッカー装置内の無線機の有無を検出することができる。また、ロッカー装置の扉は、履歴付き錠装置により解錠が制御され、履歴付き錠装置はＩＤカード等のＩＤコード出力手段からのＩＤコードを認証して解錠を制御する。したがって、ＩＤコードに応じて扉を解錠または非解錠とすることができるので、ロッカー装置から無線機の取り出しをＩＤコードに基づいて制限するこができる。また、管理手段は、履歴付き錠装置からのＩＤコードに基づいて、ロッカー装置からの無線機の持ち出しの履歴をＩＤコードで特定される個人とともに管理できる。
【００１０】
なお、複数の無線機管理システムをネットワーク等で接続することで、全国の警察署における無線機の一括集中管理することも可能であり、また、全国にわたって個々の無線機の所在も容易に判明する。
【００１１】
請求項２の無線機管理システムにおいて、パーソナルコンピュータ等の管理手段のＩＤコード入力処理により、ＩＤコードを入力した場合だけ、履歴付き錠装置でロッカー装置の扉の解錠制御を行うことができる。
【発明の効果】
【００１２】
請求項１の無線機管理システムによれば、きわめて多数の警察無線用の無線機の管理が正確で効率良くなる。
【００１３】
請求項２の無線機管理システムによれば、請求項１の効果に加えて、管理手段におけるＩＤコード入力処理によるＩＤコードの入力と、履歴付き錠装置におけるＩＤコードの入力とを行わなければロッカー装置からの無線機の持ち出しができないので、セキュリティ性も向上する。
【発明を実施するための最良の形態】
【００１４】
次に、本発明の無線機管理システムの実施形態を図面を参照して説明する。図１は本発明の実施形態の無線機管理システムの概略図である。ロッカー装置１はボックスとして上下２段の引出しボックス１１，１１を備えており、引出しボックス１１，１１の内底には、底板の略同サイズのアンテナ１２，１２がそれぞれ配設されている。また、引出しボックス１１内には縦横の仕切板１３が配設されており、これにより引出しボックス１１内に多数の収容スペースＳが形成されている。そして、各収納スペースＳ内に無線機２が収納される。
【００１５】
また、ロッカー装置１の前面は両開きの扉１ａ，１ａにより開放及び戸締まり可能となっており、片側の扉１ａには、ＩＣカードからＩＤコードを読み取るカードリーダ３と、両扉１ａ，１ａの施錠及び解錠を行う電気錠４とが取り付けられている。なお、電気錠４は錠制御部４１に接続されている。
【００１６】
無線機２の底部の所定の位置には、図に拡大図で示したようにＲＦタグ（ＩＣタグ）２１が取り付けられている。そして、このＲＦタグ２１の識別コードは、アンテナ１２で受信される。アンテナ１２はＲＦリーダ１２ａに接続されている。パーソナルコンピュータ１０は管理手段であり、このパーソナルコンピュータ１０は署内に構成されたＬＡＮに接続されている。そして、ＲＦＥリーダ１２ａ、カードリーダ３及び錠制御部４１はＬＡＮを介してパーソナルコンピュータ１０に接続されている。以下、パーソナルコンピュータを「ＰＣ」ともいう。
【００１７】
また、カードリーダ３はＰＣ１０に接続されている。さらに、電気錠４の錠制御部４１はＰＣ１０に接続されており、ＰＣ１０から錠制御部４１に解錠信号が入力されると電気錠４は解錠される。なお、施錠時は扉１ａ，１ａを閉めると電気錠４は自動的に施錠し、錠制御部４１からＰＣ１０に施錠信号が出力される。これにより、カードリーダ３でＩＤコードが読み取られてＰＣ１０に送信され、ＰＣ１０でＩＤコードが認証されると、電気錠４は解錠する。すなわち、カードリーダ３、電気錠４及びＰＣ１０は「履歴付き錠装置」を構成している。
【００１８】
ここで、ＲＦタグ２１とアンテナ１２は、例えばＲＦＩＤ（Radio Freqency IDdentification）システムであり、ＲＦタグは、「ＩＣタグ」、「電波タグ」、「無線タグ」、「ＲＦＩＤタグ」等と称され、内蔵するＩＣメモリに各種のデータを記憶することができる。そして、このデータはアンテナ１２により、非接触で読み取ることができる。したがって、無線機２を収納スペースＳ内に入れれば、その近くに設けられアンテナ１２により該ＲＦタグ２１に記憶されている識別コードを受信でき、ＲＦリーダ１２ａ及びＰＣ１０により識別コードを読み出すことができる。
【００１９】
また、この実施形態のＲＦＩＤシステムは「アンチコリジョン（衝突防止）」の機能を有しており、アンテナ１２及びＲＦリーダ１２ａは、複数のＲＦタグ２１に対して同時にデータを正しく読み出すことができる。したがって、ロッカー装置１内に無線機２が接近して配置されても、複数の無線機２１の有無を検出することができる。
【００２０】
ここで、各署員の指名、所属等の情報はＩＣカードのＩＤコードに対応付けてＰＣ１０のデータベースに記憶されている。また、各無線機２には署内における仮の無線機番が付与されており、無線機２は、この無線機番号、その無線機が所属する警察署名、都市名、県名等は、その無線機２に対応に取り付けられているＲＦタグの識別コードとそれぞれ対応つけてＰＣ１０のデータベースに記憶されている。また、署員の内で無線機の持出し及び収納が許可されている署員についてはそのＩＤコードがＰＣ１０のデータベースに記憶（登録）されている。
【００２１】
また、ロッカー装置１の引出しボックス１１（及びアンテナ１２）にはそれぞれ引出番号が付与されており、この引出番号とその引出しボックス１１に収納されている無線機２の無線機番号とを対応つけて記憶することにより、どの無線機２がどの引出しボックス１１に収納されているかを認識することができる。なお、この実施形態の説明では１台のロッカー装置１について説明するが、複数のロッカー装置１を備えていてこれらをＰＣ１０で管理してもよい。この場合には、各ロッカー装置１ごとにロッカー番号を付与することで、どのロッカー装置のどの引出しボックスにどの無線機が収納されているかも認識できる。
【００２２】
図２及び図３はＰＣ１０の制御を示す要部フローチャートであり、図２はメイン処理のフローチャート、図３は持出し・収納処理のフローチャートである。同フローチャートに基づいて動作を説明する。
【００２３】
図２のメイン処理はＰＣ１０で所定のアプリケーション（管理プログラム）を開始することにより起動され、ます、ステップＳ１で識別コード読み取り処理を行う。この識別コード読み取り処理は、アンテナ１２を駆動してロッカー装置１内に収納されている無線機２のＲＦタグ２１から全識別コードを読み取る。次に、ステップＳ２でデータベース更新処理を行う。このデータベース更新処理は、ＲＦタグ２１から読み取った識別コードに対応するデータベース中の各無線機の情報として、現在時刻の記録等を行う。これにより、アプリケーションの開始時（例えば事務始業時）の無線機の有無等の情報をデータベースに記憶することができる。
【００２４】
次に、ステップＳ３で、持出し・収納処理を実行する選択の処理が有るかを判定し、選択がなければステップＳ４でその他の処理を行ってステップＳ３に戻る。持出し・収納処理の選択があれば、ステップＳ４で図３の持出し・収納処理を行う。
【００２５】
図３の処理では、ステップＳ１１，Ｓ１２でＩＤコードの入力の有無または終了の指示の有無を監視する。ＰＣ１０のキーボード等からＩＤコードの入力があれば、ステップＳ１３で、入力されたＩＤコードに基づいてデータベースを参照し、入力されたＩＤコードが持出し及び収納が許可されている署員のＩＤコードとして認証がＯＫであるかを判定する。認証がＯＫでなければ、ステップＳ１４で「許可されてません」等の表示を行ってメインルーチンに復帰する。認証がＯＫであれば、ステップＳ１５で「許可されました」等の表示を行い、ステップＳ１６に進む。
【００２６】
ステップＳ１６，Ｓ１７で、ロッカー装置１側のカードリーダ３からＩＤコードが一定時間内に検出されるのを監視し、一定時間内にＩＤコードが検出されなければ、そのままメインルーチンに復帰する。一定時間内にＩＤコードが検出されれば、ステップＳ１８で、そのＩＤコードが直前に認証したＩＤコードと一致するかを判定し、一致しなければそのままメインルーチンに復帰する。一致すれば、ステップＳ１９で錠制御部４１に解錠信号を出力し、ステップＳ２０で識別コード監視処理を行う。
【００２７】
この識別コード監視処理では、ロッカー装置１内のアンテナ１２を駆動して、読み取られる識別コード中から検出されなくなった識別コードが有るか、あるいは読み取られる識別コードに新たな識別コードが検出されるかを監視する。この処理はステップＳ２１でロッカー装置１の電気錠４が施錠されるまで行う。そして、電気錠４が施錠されたら、ステップＳ２２でデータベース更新処理を行って、メインルーチンに復帰する。このデータベース更新処理は、読み取られる識別コードの変化に対応して、無線機２が持ち出されたり、無線機２が返却（収納）された時の、日時（現在日時）の情報をデータベース中の各無線機の情報として記憶する。また、ＩＤコードに基づいて、その操作を行った署員の情報等も記憶する。
【００２８】
以上のように、ＰＣ１０のデータベースは、無線機２の持ち出し時、返却時に常に更新されるので、ロッカー装置１内の無線機２の状況や持ち出し、返却の履歴等をＰＣ１０により容易に確認することができる。
【００２９】
以上の実施形態では引出しボックス１１内のアンテナ１２は、引出しボックス１１の底板を覆うような一枚のアンテナとなっているが、仕切板１３によって区切られた核収容スペースＳの各々に専用のアンテナを配置するようにしてもよい。このようにすると、各アンテナで検出されるＲＦタグ２１の識別コードにより引出しボックス１１内のどの収容スペースＳにどの無線機２が収容されているか、あるいはどの収容スペースＳが空いているかが、それぞれＰＣ１０により確認することができる。
【００３０】
また、ロッカー装置１を専用の管理室内に配置しておき、この管理室の扉等にカードリーダを設け、ＩＤカード等の認証により扉の解錠を制御するように構成してもよい。この場合もＰＣ１０で管理室への入室及び退室の履歴を管理することもできる。
【００３１】
また、本発明の無線機管理システムは、一つの警察署内に設けるにとどまらず、全国の警察署に設け、これらの無線管理システムをネットワークで接続してもよい。この場合には、任意の警察署において、例えば当該警察署の無線機が全国のどこの警察署に保管されているかも容易に確認することができる。さらに、そのネットワークを介して例えば警視庁や警察庁などの中央センターで管理するようにもできる。
【図面の簡単な説明】
【００３２】
【図１】本発明の実施形態の無線機管理システムの概略図である。
【図２】実施形態におけるパーソナルコンピュータのメイン処理のフローチャートである。
【図３】実施形態におけるパーソナルコンピュータの持出し・収納処理のフローチャートである。
【符号の説明】
【００３３】
１      ロッカー装置
２      無線機
３      カードリーダ
４      電気錠
１０    パーソナルコンピュータ
１１    引出しボックス
１２    アンテナ
１２ａ  ＲＦリーダ
１３    仕切板
２１    ＲＦタグ
【図１】
2008255600.tif 000003
【図２】
2008255600.tif 000004
【図３】
2008255600.tif 000005